(57)【要約】難視構成を検出する難視構成検出器及び方法を開示する。難視構成検出器は、複数のセンサ板と共通板とを含み得る。センサ板を、直線的に配置してセンサアレイを形成できる。共通板は、センサアレイに沿って延在することができ、短縮した長さを有することができる。コントローラを、センシング回路に結合して、センシング回路が測定するキャパシタンスを分析する。複数のインジケータのうちの１つがコントローラに結合され、複数のインジケータのうちの１つを面の後ろの難視構成の位置を識別するよう選択的に設定できる。【選択図】図１
2020505617.tif 000002
【特許請求の範囲】
【請求項１】
直線的に配置されてセンサアレイを形成する３つ以上のセンサ板であり、それぞれのセンサ板は、前記センサ板の１つ以上の周囲の物体に対する接近度と、前記１つ以上の周囲の物体のそれぞれの材料特性とに基づいて変わる、センサ示度を取得するように構成され、それぞれの前記センサ板は、主要結合領域を提供して対応電界の第１端部を形成するように構成される、３つ以上のセンサ板と、
対応主要結合領域を提供してセンサ板に対応し、前記センサ板の前記対応電界の第２端部を形成するように構成される、１つ以上の共通板と、
前記３つ以上のセンサ板に結合され、前記３つ以上のセンサ板の前記センサ示度を測定するように構成されるセンシング回路と、
不活性状態と活性状態との間を切り替えて、比較的高いセンサ示度の範囲の位置を示すインジケータと、を備える、難視構成検出器であって、
前記センサアレイの端部センサ板の前記主要結合領域は、前記１つ以上の共通板の前記対応主要結合領域との第１ライン上に存在し、
前記センサアレイの非端部センサ板の前記主要結合領域は、前記１つ以上の共通板の前記対応主要結合領域との第２ライン上に存在し、
前記第１ライン及び前記第２ラインは平行ではない、難視構成検出器。
【請求項２】
それぞれの前記センサ板は、前記１つ以上の共通板のうちの単一の共通板によって電界を形成し、
前記１つ以上の共通板の全体長さは、前記センサアレイの長さ未満である、請求項１に記載の難視構成検出器。
【請求項３】
前記３つ以上のセンサ板はそれぞれ同じ信号によって同時に駆動される、請求項１に記載の難視構成検出器。
【請求項４】
前記共通板は、端部センサ板によって形成される前記対応電界が、中間センサ板によって形成される対応電界に対して幾何学的形状に類似するように構成される、請求項１に記載の難視構成検出器。
【請求項５】
前記共通板の幅が８．０ミリメートル超である、請求項１に記載の難視構成検出器。
【請求項６】
直線的に配置されてセンサアレイを形成する３つ以上のセンサ板であり、それぞれのセンサ板は、前記センサ板の１つ以上の周囲の物体に対する接近度と、前記１つ以上の周囲の物体のそれぞれの材料特性とに基づいて変わる、センサ示度を取得するように構成され、それぞれのセンサ板は、対応電界の第１端部を形成する、３つ以上のセンサ板と、
それぞれのセンサ板の前記対応電界の第２端部を形成し、前記センサアレイに沿い前記３つ以上のセンサ板のそれぞれの一方側に沿って延び、前記センサアレイの全体長さよりも最大で１６ミリメートル長い長さを有する共通板と、
前記３つ以上のセンサ板に結合され、前記３つ以上のセンサ板の前記センサ示度を測定するように構成されるセンシング回路と、
不活性状態と活性状態との間を切り替えて、比較的高いセンサ示度の範囲の位置を示すインジケータと、を備える、難視構成検出器。
【請求項７】
前記３つ以上のセンサ板はそれぞれ同じ信号によって同時に駆動される、請求項６に記載の難視構成検出器。
【請求項８】
前記３つ以上のセンサ板はそれぞれ同じ信号によって同時に駆動され、
前記センシング回路は、前記３つ以上のセンサ板の１つの前記センサ示度を測定する、請求項６に記載の難視構成検出器。
【請求項９】
能動遮蔽物を更に備え、
３つのセンサ板及び前記能動遮蔽物はそれぞれ同じ信号によって同時に駆動される、請求項６に記載の難視構成検出器。
【請求項１０】
３つのセンサ板及び能動遮蔽物はそれぞれ同じ信号によって同時に駆動され、
前記センシング回路は、前記センサ板の１つのみの前記センサ示度を測定する、請求項６に記載の難視構成検出器。
【請求項１１】
前記共通板は複数の個々の板のセットを備え、それぞれの個々の板は、前記３つ以上のセンサ板のセンサ板の前記対応電界の第２端部を形成する、請求項６に記載の難視構成検出器。
【請求項１２】
前記複数の個々の板のそれぞれが独立して作動する、請求項１１に記載の難視構成検出器。
【請求項１３】
センサアレイを形成する３つ以上のセンサ板であり、それぞれのセンサ板は、前記センサ板の１つ以上の周囲の物体に対する接近度と、前記１つ以上の周囲の物体のそれぞれの材料特性とに基づいて変わる、センサ示度を獲得し、前記３つ以上のセンサ板はセンシングフィールドを全体的に生成し、前記３つ以上のセンサ板の個々のセンサ板は前記センシングフィールド内で対応主要センシングフィールドゾーンを生成し、前記対応主要センシングフィールドゾーンで前記個々のセンサ板は前記センシングフィールドに対して他の任意の前記３つ以上のセンサ板よりも強く寄与し、前記３つ以上のセンサ板は幾何学的に類似する主要センシングフィールドゾーンを生成する、３つ以上のセンサ板と、
前記主要センシングフィールドゾーンを受け、前記センサアレイの長さに沿って延び、前記長さが前記センサアレイの全体長さよりも最大でセンサ幅の１．５倍長い長さを有する、共通板と、
前記３つ以上のセンサ板に結合され、前記３つ以上のセンサ板のセンサ示度を測定するように構成されるセンシング回路と、
不活性状態と活性状態との間を切り替えて、比較的高いセンサ示度の範囲の位置を示すインジケータと、を備える、難視構成検出器。
【請求項１４】
前記共通板が、中間センサ板に対応する主要センシングフィールドゾーンに対して幾何学的に類似する、端部センサ板に対応する主要センシングフィールドゾーンを構成する、請求項１３に記載の難視構成検出器。
【請求項１５】
前記センサアレイ及び前記共通板は左右対称である、請求項１３に記載の難視構成検出器。
【請求項１６】
前記共通板は、端部センサ板に対応するセンシングフィールドゾーンに影響を及ぼして、前記センシングフィールドゾーンが中間センサ板のセンシングフィールドゾーンに幾何学的に類似するように位置付けられる、請求項１３に記載の難視構成検出器。
【請求項１７】
前記３つ以上のセンサ板のグループを前記共通板から分離する能動遮蔽物を更に備える、請求項１３に記載の難視構成検出器。
【請求項１８】
能動遮蔽物はセンシング板と同じ電位で駆動される、請求項１３に記載の難視構成検出器。
【請求項１９】
前記共通板は、前記３つ以上のセンサ板のあるセンサ板の対応電界の第２端部をそれぞれ形成する複数の個々の板のセットを備える、請求項１３に記載の難視構成検出器。
【請求項２０】
前記複数の個々の板のそれぞれは、独立して作動する、請求項１９に記載の難視構成検出器。
【請求項２１】
前記共通板の幅は８．０ミリメートル超である、請求項１に記載の難視構成検出器。
【請求項２２】
面上に配置される難視構成検出器の、センサアレイに直線的に配置される３つ以上のセンサ板のセンサ示度を取得するステップと、
センシング回路によって、前記３つ以上のセンサ板の前記センサ示度を測定するステップと、
センシングフィールドの相違する範囲のセンサ示度の測定器を比較するステップと、
インジケータを不活性化状態から活性化状態に切り替えて、比較的高いセンサ示度を有する前記センシングフィールドの範囲を示すステップと、を含む、面の後ろの難視構成を検出する方法であって、
センシングフィールドの範囲の前記センサ示度は、前記難視構成検出器の前記３つ以上のセンサ板と共通板との間に形成され、
端部センサ板のセンシングフィールドを、非端部センサ板のセンシングフィールドに対して類似させるように、前記共通板の大きさが決められ、成形される、面の後ろの難視構成を検出する方法。
【請求項２３】
前記難視構成検出器の能動遮蔽物を、前記３つ以上のセンサ板と同じ信号によって駆動して、前記センシングフィールドを形成するステップを更に含む、請求項２２に記載の方法。
【請求項２４】
測定される前記センサ示度は容量性示度である、請求項２２に記載の方法。
【請求項２５】
測定される前記センサ示度は電磁示度である、請求項２２に記載の方法。
【発明の詳細な説明】
【関連出願の相互参照】
【０００１】
この出願は、2017年1月13日に出願し、発明の名称が「難視構成を均一の電界で検出する装置及び方法」である、米国特許出願第15/406,322号の優先権を主張し、このような主題が矛盾しない範囲まで参照により本明細書に援用するものとする。
【技術分野】
【０００２】
本開示は一般に、不透明な固体面の後ろの難視構成の存在を検出する装置に関するものであり、より具体的には、壁の後ろのビーム及びびょうと床下の根太とを配置するための装置に関するものである。
【背景技術】
【０００３】
ビーム、びょう、根太並びに壁の後ろ及び床下の他の要素等の難視構成を配置することは、建築時、修繕時及びリフォーム活動時に直面する一般的な課題である。例えば、面に開口部を生み出すために、下にある支持要素を避けながら、壁、床又は他の支持面を切断し又は穴あけする要望がしばしば発生する。これらの例では、支持要素を切断し又は穴あけすることを避けるために、開始前に支持要素の位置を知ることが求められ得る。他の場合に、絵画又は棚等の重量物を支持面によって支持要素に固定することが望まれ得る。これらの事例では、下にある支持要素と位置合わせされた支持面を貫通する留め具を取り付けることがしばしば望まれ得る。しかしながら、壁、床又は支持面が決まった場所に存在することにより、支持要素の位置を視覚的に検出できない。
【０００４】
従来から、上を覆う面により見え難い、下に存在する構成の位置を突き止める課題に対処するのに限定的に成功した、様々な基本的技術が採用されている。これらの技術は、下に存在する支持要素に遭遇するまで、上を覆う面じゅうで小さな旋回爪を駆動するステップと、その後下に存在する支持要素の位置を示さない面を覆う穴を設けるステップとを含む。破壊性がより低い技術は、支持要素が軽くたたかれる表面の領域の下又は後ろに存在するときに、表面から発生する音の聴覚的変化を検出するために上を覆う面を軽くたたくステップを含む。しかしながら、この技術は、結果の精度が、下に存在する支持要素を捜索するために軽くたたき聴く者の判断およびスキルに大きく依存するため、また軽くたたくことで発生する音が、試験される面の種類及び密度に深く影響されるため、効果的でない。
【０００５】
磁気検出器も採用されており、壁及び支持要素中に存在し検出器の反応のきっかけになる爪及びねじ等の金属製留め具の存在に依拠する検出器によって難視支持要素を発見する。しかしながら、金属製留め具は支持物の長さに沿って分離した位置に間隔をおいて配置されているため、磁気検出器は、留め具が配置されていない支持物の長さを越えて通過することがあり、これにより難視支持要素の存在の検出に失敗することがある。
【０００６】
不透明な面の後ろの難視構成を検出する電気センサも採用されてきた。これらの検出器は、試験される面の後ろ、下又は中に位置する構成の存在に起因する、試験される面のキャパシタンスの変化を感知する。これらのキャパシタンスの変化は、木材、シートロック、漆喰、石膏等の様々な面にわたって検出可能であり、当該変化はセンサの活性化に関して面又は難視構成内の金属製留め具の存在に依拠しない。しかしながら、従来の電気検出器は大きな短所に苦しむことがある。従来の難視構成検出器は、検出される面の厚さ及び密度に対する正確な補償が困難となることがあり、これにより精度に悪影響を及ぼす。
【発明の概要】
【課題を解決するための手段】
【０００７】
本開示は、正確かつ単純に使用され安価に製造される、難視構成検出器を提供することで、難視構成を検出する分野における上述した欠陥の１つ以上に有利に対処する。試験される面に対して装置を配置し、装置が配置される面の下に存在する全ての構成の位置を読み取ることによって、検出器を使用できる。検出器は、面の様々な材料及び面の様々な厚さにわたって正確に表示できる。
【０００８】
添付図面を参照して進行する以下の好ましい実施形態の詳細な説明から、付加的な態様及び利点が明らかになるであろう。
【図面の簡単な説明】
【０００９】
【図１】一実施形態に従い、シートロックの一部の上に配置されて難視構成を検出する進歩した難視構成検出器を示す図である。
【図２】図１の難視構成検出器の斜視図である。
【図３】図１の難視構成検出器のセンサ板と、隠れている難視構成３の位置を信号で知らせる活性化されるインジケータとを表す図である。
【図４】一実施形態に従う難視構成検出器の回路の図である。
【図５】一実施形態に従う難視構成検出器のコントローラの図である。
【図６】一実施形態に従い、ハウジングを含み、ライトパイプ及びボタン並びにプリント回路基板を有する難視構成検出器の断面図である。
【図７】比較的より薄い面上に配置されている、先行技術の難視構成検出器の図である。
【図８】比較的より厚い面上に配置されている、先行技術の難視構成検出器の図である。
【図９】いくつかのセンサ板に対する主要センシングフィールドゾーンを示す、先行技術の難視構成検出器の側面図である。
【図１０】先行技術の難視構成検出器の底面の正面からの図を表し、いくつかのセンサ板に対する主要センシングフィールドゾーンを示す図である。
【図１１】一実施形態に従い、面の後ろの難視構成を検出する方法の流れ図である。
【図１２】共通板を有する難視構成検出器に対する先行技術の板構成の図である。
【図１３】短縮共通板を有する難視構成検出器に対する板構成の図である。
【図１４】図１２の先行技術の板構成に対する電界ラインを示す図である。
【図１５】図１３の板構成に対する電界ラインを示す図である。
【図１６】複数共通板を有するセンサアレイに対する電界ラインを示す図である。
【図１７】一実施形態に従い、短縮グラウンド平面を有する板構成によって、面の後ろの難視構成を検出する方法を示すフローチャートである。
【発明を実施するための形態】
【００１０】
以下の説明では、当該説明の一部を構成する添付図面を参照する。添付図面は、本発明を実行できる特定の例示的実施形態を示すために表される。これらの実施形態は、当業者が本明細書に記載される技術及び実施形態を実行できるよう十分詳細に説明され、本開示の精神及び範囲から逸脱すること無く、開示される様々な実施形態を変更できるとともに、他の実施形態を使用できることが理解される。したがって、以下の詳細な説明は、限定的な意味にとられるべきではない。
【００１１】
多数の現在入手可能なびょうの探知機（例えば難視構成検出器）は、キャパシタンスを用いて、面の後ろの難視構成を検出する。キャパシタンスは、電荷を保持又は蓄積する物体の能力の電気的分量である。エネルギー蓄積装置の一般的な形態は、平行な板コンデンサであり、そのキャパシタンスは、式C = εr εo A/dにほぼ等しい。ここでＡは平行な板の重複面積であり、ｄは板間の距離であり、εrは静的比誘電率（又は板間の材料の誘電定数）であり、εoは定数である。誘電材料は、電界を印加することによって分極化できる電気絶縁体である。絶縁体が電界に配置されるときに、分子は平均平衡位置から移り、誘電分極を引き起こす。誘電分極のため、正電荷が電界のネガティブエッジに向かって移り、負電荷が反対方向に移る。
【００１２】
空気の誘電定数（εr）は１である一方、最も堅い非導電性材料は１よりも大きな誘電定数を有する。一般に、従来のキャパシタンスセンサが機能可能な誘電定数は、非導電性材料固形物の誘電定数の変動である。
【００１３】
難視構成検出器上のセンサ板が、壁の後ろに支持物が存在しない壁上の位置に配置されるときに、検出器は壁と壁の後ろの空気とのキャパシタンスを測定する。検出器は壁の後ろに支持物が存在する位置に配置されたときに、検出器はその後壁と支持物とのキャパシタンスを測定する。当該支持物は、空気よりも高い誘電定数を有する。結果として、検出器はキャパシタンスの増加を示し、その後当該増加を用いて表示システムを起動できる。
【００１４】
現在入手可能な難視構成検出器では一般に、同一のセンサ板のセットが直線的に配置される（例えば図１０参照）。センサ板のそれぞれは、面に対するセンサ読み取りを行う。その後センサの示度が比較される。最も高いセンサ示度を有するセンサ板は難視構成の位置に存在すると判断される。しかしながら、グループの端部付近に存在するセンサ板は、難視構成に対して、中心付近に存在するセンサ板と同じようには応答しないことがある。難視構成検出器が、より薄い面からより薄い面又はより密度の低い面から、より厚い面又はより密度の高い面に移動するときに、この問題点は特に明白となることがある。
【００１５】
理想的には、難視構成が存在しない場合、センサ板は全て同じ面上に存在するため、より厚い面上の各センサ板は互いに同様のセンサ示度を有するであろう。しかしながら、端部付近のセンサ板のセンサ示度は、中央付近のセンサ板よりも大きな示度を生ぜしめることがある。端部に存在するセンサ板は、センサ板のグループの上方で電界を生み出すときに孤立する。その結果、端部付近のセンサ板は、より厚い面上に配置されるときに、不釣り合いに高い示度で応答することがある。したがって、コントローラは、センサ示度が高いのは、難視構成の存在のためか又は検出器がより厚い面上に配置されているためかを判定することが困難となり得る。本開示は解決策を提供する。
【００１６】
多数のセンサ板を有する難視構成検出器において、各センサ板が同じ難視構成に対して同様の応答を有することが望ましい。各センサ板から同様の応答を確保するため、センサ板の適切な幾何学形状及び配置によって、難視構成に対して同等の応答を確保できる。センサ板トレースの遮蔽を改善することでも性能を向上できる。さらに、センシング回路に対するユーザの電気的結合を高めることによって、性能を向上できる。面に対してセンサ板が平坦であることを確保する機構によっても性能を向上できる。
【００１７】
本開示は、難視構成検出器及び難視構成検出器を検出する方法に向けたものである。例示的実施形態では、難視構成検出器は、センサ板のグループ、複数層のプリント回路基板（ＰＣＢ）、センシング回路、コントローラ、表示回路、パワーコントローラ及び／又はハウジングを備える。
【００１８】
開示される実施形態は、センサ板のグループが生成する電界ラインを均一又はほぼ均一に維持することを促進する。具体的に、センサ板のグループにおける２つの端部センサ板の電界は、非端部センサ板の電界に対して類似する。端部センサ板及び非端部センサ板が生み出す電界は互いに横切る方向を向くことができる。
【００１９】
開示される実施形態によって、難視構成の位置をより正確に同定できる。また開示される実施形態によって、異なる誘電定数を有する様々な面にわたって、瞬時かつ正確に読み取りできる。さらに、現在開示される実施形態によって、異なる表面厚さにわたって、瞬時かつ正確に読み取りする能力を向上できる。
【００２０】
また開示される実施形態は、より使いやすい検出器を生み出す。多数の先行技術の検出器は、様々な面に対してユニットを再調整して難視構成の位置を測定するために、より多くのステップ、より長い時間及びより多くの技量を要求する。開示される実施形態は、より信頼性の高いセンサ示度を提供する。センサ板からのセンサ示度は、検出される面に対して自己調整して、より信頼性の高い示度を提供するとともに構成をより深く検出する能力を有する。センサ示度の面の厚さが誘発する読み取り誤差は著しく減少している。このように読み取り誤差を取り除くことにより、開示される実施形態は物体をより深く検出できる。
【００２１】
以下添付図面を参照して、本開示をより完全に説明する。しかしながら、本開示を多数の他の様々な形態で具現化することができる。本開示を本明細書で説明する実施形態に限定して理解すべきではなく、むしろ、本開示によって徹底的かつ完全に全範囲を当業者に完全に伝えるためのみに、これらの実施形態を提供する。
【００２２】
図１は、一実施形態に従い、シートロック２（又は類似する面）の一部の上に配置されて難視構成３を検出する難視構成検出器１を示す。図２は、図１の難視構成検出器１の斜視図である。図３は、複数のセンサ板５と短縮共通板３３とを含む、難視構成検出器１のセンサ側面を表す。
【００２３】
図１−３を参照して、一般的かつ全体的に、難視構成検出器１は３つ以上のセンサ板５と、センシング回路（図４参照）と、１つ以上のインジケータ６と、１つ以上の近接インジケータ３９と、ハンドル１４、能動遮蔽板２３及びバッテリカバー２８を提供し又は収容するハウジング１９とを含む。
【００２４】
３つ以上のセンサ板５はそれぞれ、センサ板５の１つ以上の周囲の物体に対する接近度と、１つ以上の周囲の物体のそれぞれの材料特性とに基づいて変わる、センサ示度を取得できる。３つ以上のセンサ板５は、全体としてセンシングフィールドを生み出すことができる。３つ以上のセンサ板５の個々のセンサ板５は、個々のセンサ板５がセンシングフィールドに対して３つ以上のセンサ板５の他の任意のものよりも強く寄与する、センシングフィールド内の３次元幾何学体積となり得る、対応主要センシングフィールドゾーンを生み出すことができる。３つ以上のセンサ板５はすべて、幾何学的に類似する、主要センシングフィールドゾーンを生み出すことができる。センシング回路は、３つ以上のセンサ板５と結合して、３つ以上のセンサ板５のセンサ示度を測定することができる。
【００２５】
それぞれのセンサ板５は、対応する電界の第１端部を形成する。センサ板５において電界が生み出され又は受け取られる。共通板３３の領域は、各センサ板５の対応する電界の第２端部を形成することができる。共通板３３は、各センサ板５の一方側に沿って延びる長さを有する。共通板３３の長さは、センサ板５の全体長さ寸法よりも短い。ある実施形態では、共通板３３は不変電圧に接続される。ある実施形態では、共通板３３は回路グラウンドに接続される。ある実施形態では、共通板３３は交流信号に接続される。
【００２６】
ある実施形態では、それぞれセンサ板５を、センサ板５のグループ７又はアレイの一部とすることができる。それぞれのグループ７は、２つ以上のセンサ板５を含むことができ、能動遮蔽板２３を含むこともできる。センサ板５と能動遮蔽板２３とは異なる平面上に存在することができる。それにもかかわらず、センサ板５と能動遮蔽板２３とが同時に駆動される場合、ある実施形態では、センサ板５と能動遮蔽板２３とをセンサ板５の同じグループ７の一部とすることができる。それぞれのセンサ板５は、その形状によって画定される幾何学的形状を有する。それぞれのセンサ板５は、境界線も有する。ある実施形態では、境界線は複数部分から構成され得る。ある実施形態では、境界線のそれぞれの部分は、内側境界１０又は外側境界１１となる。ある実施形態では、センサ板５がグループ７の境界線に隣接する境界線の一部を有する場合、当該部分が外側境界１１を含む。ある実施形態では、センサ板５がグループ７の境界線に隣接していない境界線の一部を有する場合、当該部分が内側境界１０を含む。
【００２７】
難視構成３の位置を感知する実施形態では、電流源を用いてセンサ板５を駆動でき、難視構成検出器１はセンサ板５があるしきい電圧に到達するのにかかる時間を測定し、これによりセンサ示度を得る。他の実施形態では、チャージシェア機構を用いてセンサ示度を得る。他の実施形態では、無線周波数信号をセンサ板５に配置して、センサ示度を得る。それぞれの実施形態において、信号をセンサ板５で感知させる。
【００２８】
ある実施形態では、一度に１つのみのセンサ板５を駆動できる。これらの実施形態では、単一のセンサ板５はセンシングフィールドを生み出すときに孤立できる。
【００２９】
ある実施形態では、一群７のセンサ板５は全て同じ信号で同時に駆動され得る。これらの実施形態では、一群７のセンサ板５はセンシングフィールドを生み出すことができる。ある実施形態では、多数のセンサ板５のそれぞれを同じ信号で同時に駆動できるが、あるいは単一のセンサ板５のみを感知することができる。有利には、多数のセンサ板５を同時に駆動することで、単一のセンサ板５のみを駆動する場合よりも、難視構成内により深く進むフィールドラインを生み出すことができる。より深いフィールドラインによって、より深く感知できる。ある実施形態では、一群７のセンサ板５と能動遮蔽板２３とを全て同じ信号で同時に駆動することができ、一群７のセンサ板５と能動遮蔽板２３とはセンシングフィールドを一緒に生み出すことができる。
【００３０】
それぞれのセンサ板５は、主要センシングフィールドゾーンを有する。ある実施形態では、主要センシングフィールドゾーンが、センシングフィールドの３次元幾何学体積であり、個々のセンサ板５が能動遮蔽板２３（存在する場合）又は他の任意のセンサ板５よりも強く感知できる関連フィールドラインである。ある実施形態では、各センサ板５が類似する主要センシングフィールドゾーンを有することが望ましい。ある実施形態では、各センサ板５が、幾何学的に類似する主要センシングフィールドゾーンを有し、それぞれの主要センシングフィールドゾーン内で類似するセンシングフィールドを有することが望ましい。
【００３１】
図３は、直線的に配置されてセンサアレイ７を形成する１３のセンサ板５を示す。センサ板５のそれぞれは、矩形状である。各センサ板は、センサ板５の１つ以上の周囲の物体に対する接近度と、１つ以上の周囲の物体のそれぞれの材料特性とに基づいて変わる、センサ示度を取得するように構成される。
【００３２】
ある実施形態では、図３に表すように、センサアレイ７は、それぞれ類似する幾何学的形状を有するセンサ板５を備え得る。ある実施形態では、隣接するセンサ板５間の距離を約２．０ミリメートルとすることができる。図示するように、短縮共通板３３は、各センサ板５の一方側に沿うセンサアレイ７に沿って延在する。短縮共通板３３の長さは、センサアレイ７の全体長さ寸法よりも短い。ある実施形態では、短縮共通板３３は、一方又は両方の端部センサ板の側面に沿って延在していないことがある。
【００３３】
図３では、センサ板５はセンシングフィールドを全体として生み出すことができる。ある実施形態では、能動遮蔽板２３はセンシングフィールドに寄与できる。図３の実施形態では、それぞれのセンサ板５は、類似する主要センシングフィールドゾーンを有し得る。この実施形態では、短縮共通板３３は各センサ板５に、図１２、１５及び１６を参照してより詳細に説明する主要センシングフィールドゾーンと幾何学的に類似する主要センシングフィールドゾーンを持たせる。同様に、各センサ板５は、それぞれの主要センシングフィールドゾーン内に類似するセンシングフィールドも有し得る。その結果、図３の構成を有して組み立てられる難視構成検出器１は、改善された性能を提供できる。難視構成検出器１が薄い面からより厚い面に移動する移動するときに、センサ板５のそれぞれに関するセンサ示度は、類似する値の上昇を有し得る。
【００３４】
ある実施形態では、鋸歯形状の縁又は境界線は、鋸歯を持たない直線縁と同じ有効縁を有することができる。ある実施形態では、非常に細い曲線を有する縁は、細い曲線を持たない直線縁と同じ有効縁を有することができる。ある実施形態では、その中にスロットを有するセンサ板５は、スロットを持たない異なる同等のセンサ板５と同じ有効幾何学的形状を有する。ある実施形態では、その中に小さな穴を有するセンサ板５は、穴を持たない同等のセンサ板５と同じ有効幾何学的形状を有し得る。他の実質的に同等の幾何学的形状に対して事実上同等となり得る、他の多数の幾何学的形状が可能である。他の実質的に同等の縁に対して事実上同等となり得る、他の多数の縁が可能である。幾何学的形状又は縁が他の幾何学的形状又は縁に対して事実上同等な特性を有する場合、これら２つが類似すると考え得る。
【００３５】
ある実施形態では、センサ板のグループ７は、グループ７の各センサ板５が同じ幾何学的形状を有するように構成される。ある実施形態では、グループ７の各センサ板５は、半径方向に対称的である。
【００３６】
複数のインジケータ６を、不活性化状態と活性化状態との間でトグルで切り替えて、比較的高いセンサ示度の範囲の位置を示すことができる。活性化されるインジケータ４は、難視構成３の位置を示し得る。近接インジケータ３９は、難視構成検出器１が難視構成３の近くに存在し得ることを示すことができる。
【００３７】
図１−３では、インジケータ６がセンサ板５上方の層上に位置付けられる。ある実施形態では、センサ板５とインジケータ６との間に、インジケータ６がセンサ板５の機能に干渉しないよう、能動遮蔽板２３が存在し得る。ある実施形態では、インジケータ６をセンサ板５上方の層上に位置付けることが望ましいことがある。
【００３８】
ある実施形態では、面２と難視構成検出器１との間に保護剤の層が存在するように、保護剤の層を難視構成検出器のハウジングの底部に設置する。ある実施形態では、保護剤の空洞を実質的になくすように、保護剤内部を実質的に充填する。ある実施形態では、保護剤は、フェルト、ベルクロ（登録商標）、布又は内部に空洞を有する他の材料とは異なる。保護剤の層は、難視構成検出器１の底部をノック、衝突及び摩滅による損傷から保護するため役立ち得る。保護剤は、プラスチック又は他の非導電固体材料等の材料の固体部品から製造し得る。プラスチックの固体層は、難視構成検出器１が壁にわたって摺動させ得る低摩擦面を提供し得る。難視構成検出器１のある実施形態は、摺動して動作することを要求しないが、低摩擦面は難視構成検出器１を摺動させることで難視構成検出器１の位置を移動させる選択をし得るユーザに有益となり得る。
【００３９】
プラスチックから成る保護層を感圧接着剤、接着剤又は他の手段によって設置できる。保護剤の層を、全面を覆う完全な層とでき、当該層を、矩形ストリップ、丸い部品又は他の幾何学的形状を有しプラスチックから成る他の層とできる。
【００４０】
空洞を実質的になくすように実質的に充填される保護剤は、先行技術の解決策よりも少ない静電荷を起こすことがあり、より一貫性があるセンサ示度を有利に提供することができる。
【００４１】
ある実施形態では、保護層はUHMW-PE（超高分子量ポリエチレン）である。超高分子量ポリエチレンは、小さな摩擦係数を有する。また超高分子量ポリエチレンは、湿度でイミュニティの増加をもたらすことがあり湿度で電荷からのイミュニティの増加をもたらすことがある湿気を、ほとんど吸収しない。
【００４２】
図４は、一実施形態に従う難視構成検出器１の回路の図である。回路は、マルチプレクサ１１と、パワーコントローラ２０と、表示回路２５と、センシング回路２７と、コントローラ６０とを含む。
【００４３】
パワーコントローラ２０は、電源２２とオン−オフボタン２４とを含み得る。電源２２は、インジケータ６に給電するとともにキャパシタンス−デジタル変換器２１及びコントローラ６０に電力を供給するためのエネルギー源を含み得る。ある実施形態では、電源２２は直流バッテリー供給を含み得る。オン−オフスイッチ２４を用いて、コントローラ６０及び難視構成検出器１の他の構成要素を活性化できる。ある実施形態では、オン−オフスイッチ２４は、難視性検出器１の構成要素を選択された時限の間活性化させる、押しボタン式機構を備える。ある実施形態では、押しボタンは構成要素を活性化して、押しボタンが解放されるまで構成要素を活性化させ続ける。ある実施形態では、オン−オフスイッチ２４は、ボタン上に指又は親指が存在することを感知できるキャパシタンスセンサを備える。ある実施形態では、オン−オフスイッチ２４は、トグルスイッチ又は他の種類のボタン若しくはスイッチを備え得る。
【００４４】
表示回路２５は、コントローラ６０に電気的に結合する１つ以上のインジケータ６を含み得る。
【００４５】
センシング回路２７は、電圧調整器２６とキャパシタンス−デジタル変換器２１とを含み得る。ある実施形態では、図４に表されるように、センシング回路２７は、複数のセンサと、電圧調整器２６とキャパシタンス−デジタル変換器２１とを含む。電圧調整器２６を用いて、パワーコントローラ２０の出力を希望通り調節できる。ある実施形態では、電圧調整器２６をキャパシタンス−デジタル変換器２１のできるだけ近くに配置することで、バッテリー電源２２をキャパシタンス−デジタル変換器２１に提供できる。センシング回路２７は、コントローラ６０に電気的に結合できる。１つ以上のセンサ板トレース３５又はプリント回路基板上の導電路は、個々のセンサ板５をキャパシタンス−デジタル変換器２１に接続できる。センサ板５のキャパシタンス−デジタル変換器２１に対する接続は、マルチプレクサ１８を経て行うことができる。マルチプレクサ１８は、センサ板５をキャパシタンス−デジタル変換器２１に個々に接続する。
【００４６】
ある実施形態では、マルチプレクサ１８は、単一のセンサ板５をセンシング回路２７に接続できる。ある実施形態では、マルチプレクサ１８は、２つ以上の隣接するセンサ板５をセンシング回路２７に接続できる。ある実施形態では、マルチプレクサ１８は、２つ以上の隣接していないセンサ板５をセンシング回路２７に接続できる。ある実施形態では、マルチプレクサ１８は、センシング回路２７が１つのセンサ板５のキャパシタンスを測定するように構成される。ある実施形態では、マルチプレクサ１８は、センシング回路２７が２つ以上のセンサ板５の総計キャパシタンスを測定するように構成される。
【００４７】
グループ７の個々のセンサ板５を、マルチプレクサ１８を経てキャパシタンス−デジタル変換器２１に独立して接続できる。ある実施形態では、グループ７自身がプリント回路基板上の銅の層から成る。
【００４８】
ある実施形態では、２層のプリント回路基板を、センサ板ボード４０（図６参照）として構成する。ある実施形態では、センサ板ボード４０の第１層はセンサ板５を備え、センサ板ボード４０の第２層は遮蔽物を備える。ある実施形態では、遮蔽物は、プリント回路基板の第２層の全面を覆う銅の層から成る。ある実施形態では、銅の層を、はんだマスクの非導電性層で覆う。ある実施形態では、はんだマスクの層に穴が存在する。ある実施形態では、はんだマスクの層の穴は、はんだ接合を形成するのに適したはんだパッドを含む。
【００４９】
ある実施形態では、４層のプリント回路基板が、回路部品を接続するのに適して相互接続する相互接続ボードとして形成される。ある実施形態では、相互接続ボードは、センシング回路２７、コントローラ６０及び表示回路２５を相互接続するのに適する相互接続からなる４つの層を有して構成される。ある実施形態では、プリント回路基板の一側面は構成要素を装着するために構成され、プリント回路基板の第２側面ははんだパッドを有して構成される。
【００５０】
ある実施形態では、センサ板５は第１プリント回路基板上に配置される。ある実施形態では、相互接続回路は第２プリント回路基板上に配置される。ある実施形態では、第１プリント回路基板は、第２プリント回路基板に対して接合される。
【００５１】
ある実施形態では、センサ板ボード４０上に、相互接続ボード上のはんだパッドと相補的な、はんだパッドが存在する。ある実施形態では、センサ板ボード４０及び相互接続ボードを、重ねて積層でき、互いに接合できる。ある実施形態では、２つのプリント回路基板を一緒に接合する結合剤をはんだとし得る。ある実施形態では、ソルダペーストを用いて２つのプリント回路基板を一緒に接合できる。ある実施形態では、２つのプリント回路基板をはんだで一緒に接合でき、２つのプリント回路基板を一緒に接合するプロセスを、標準ＳＭＴ（面実装技術）プロセスとし得る。標準面実装技術プロセスは、ステンシルを用いてソルダペーストを所望の位置に配置することを含み得る。標準面実装技術プロセスは、１つのプリント回路基板を重ねて配置することを含み得る。ある実施形態では、ピンを用いて、２つのプリント回路基板の適切な位置合わせを確保できる。ある実施形態では、面実装技術プロセスの最終ステップは、積層したプリント回路基板にリフロー路を通過させることを伴うことができる。
【００５２】
ある実施形態では、センサ板５、遮蔽物及び回路は単一のプリント回路基板上に配置される。ある実施形態では、６層のプリント回路基板を使用する。ある実施形態では、プリント回路基板から成る６層の底部層を、センサ板５とともに構成する。第５層を能動遮蔽物とすることができる。最上部の４つの層は、回路のバランスを接続できる。
【００５３】
ある実施形態では、センサ板５、遮蔽物及び回路は単一のプリント回路基板上に配置される。ある実施形態では、４層のプリント回路基板を使用する。プリント回路基板の第１層及び第２層は、相互接続回路とともに構成される。ある実施形態では、プリント回路基板から成る４層の底部層を、センサ板５とともに構成する。第３層を能動遮蔽物とすることができる。
【００５４】
プリント回路基板を、例えばFR-4、FR-406、又はRogers 4003C等の無線周波数回路で使用されるより進歩した材料等の、様々な適切な材料から製造できる。Rogers 4003C及び他の無線周波数クラスプリント回路基板は、より広い温度及び湿度の範囲にわたって改善した性能を提供できる。
【００５５】
本明細書で使用される用語「モジュール」は、本発明の１つ以上の実施形態に従って任意の所与の機能性を果たし得るユニットを説明できる。例えば、１つ以上のプロセッサ、コントローラ６０、特定用途向け集積回路（ASICs）、プログラマブルロジックアレイ（PLAs）、論理部品、ソフトウェアルーチン又は他の機構等の、任意の形態のハードウェア若しくはソフトウェア又はこれらの組み合わせを用いてモジュールを実装できる。
【００５６】
キャパシタンスを読み取るとともにキャパシタンスをデジタル値に変換する、キャパシタンス−デジタル変換としても知られる様々なプロセスは、先行技術で十分に説明されている。ここでは、多数の異なる方法は説明しておらず、読者は様々なキャパシタンス−デジタル変換器の方法の詳細に関して先行技術を参照する。ある実施形態は、例えばアナログデバイセズ（登録商標）株式会社のAD7747集積回路に組み込まれる、シグマデルタキャパシタンス−デジタル変換器を使用する。ある実施形態は、キャパシタンス−デジタル変換の電荷共有方法を使用する。
【００５７】
ある実施形態では、電圧調整器２６は、ノイズが非常に小さい、アナログデバイセズ社からのADP150-2.65又はオン・セミコンダクター社のNCP702を備え得る。ある実施形態では、コントローラ６０は、シリコン・ラボラトリーズ社からのC8051 F317又は他の多数の任意のマイクロコントローラを備え得る。
【００５８】
キャパシタンス−デジタル変換器のネイティブセンサ示度を単独で使用する場合、難視構成３の検出は、高度な精度を要求することがあり、キャパシタンス−デジタル変換器２１が提供できる精度よりも高い精度を要求することがある。ネイティブセンサ示度は、キャパシタンス−デジタル変換器２１から読み取られる生値であり、当該生値はキャパシタンス−デジタル変換器２１のデジタル出力である。
【００５９】
ある実施形態ではネイティブ読み取りを多数回実施し、多数のネイティブ読み取り結果を結合して、示度を生成する。ある実施形態ではネイティブ読み取りを多数回実施し、異なる構成の２つ以上のネイティブ読み取りを用いて多数のネイティブ読み取り結果を結合して、示度を生成する。ある実施形態では、ネイティブ読み取りを多数回実施し、複数のネイティブ読み取り結果を総計又は平均して、示度を生成する。ある実施形態では、このことは、信号対雑音比を改善する。それぞれのネイティブ読み取りは、１つのセンサ板５の読み取りを伴い得る。多数のセンサ板５がキャパシタンス−デジタル変換器２１に対して多重化される場合、ネイティブ読み取りは、複数のセンサ板５の読み取りを伴うこともできる。ある実施形態では、多数のネイティブ読み取りを結合して、示度を生成する。
【００６０】
多数のネイティブ読み取りを総計し又は平均することで、信号対雑音比を改善できるが、キャパシタンス−デジタル変換器２１の非線形性効果を減少させないことがある。理想的なキャパシタンス−デジタル変換器２１は完全に線形であり、そのネイティブセンサ示度が、感知されるキャパシタンスの増加に正比例して増加することを意味する。しかしながら、多数のキャパシタンス−デジタル変換器２１は完全に線形ではなく、入力キャパシタンスの変化がネイティブ示度の増加に正確に比例しないことがある。これらの非線形性を小さくできるが、高度な精度が望まれるときには、非線形性効果を減少させる方法を実装することが望ましい。
【００６１】
ある実施形態では、ネイティブ読み取りのそれぞれに関して僅かに異なる構成を用いて、多数のネイティブ読み取りを総計することによって、非線形性の悪影響を軽減できる。ある実施形態では、２つ以上の異なる構成を用いて、ネイティブ読み取りを実施する。
【００６２】
例えば、バイアス電流は、異なる構成を生み出すために変えることができるパラメータの１つである。バイアス電流を、標準、標準＋２０％、標準＋３５％又は標準＋５０％に設定できる。たとえ他の全ての要因が一定のままであるとしても、バイアス電流が異なることで異なるネイティブセンサ示度を生成する。それぞれのネイティブ示度が異なる値を有するため、おそらくそれぞれのネイティブ示度が異なる非線形性を受けることができる。おそらく、総計し又は掛け合わせる代わりに、異なる非線形性を受けるセンサ示度を総計し又は平均することで、非線形性を互いに部分的に相殺させることができる。
【００６３】
ある実施形態では、２つの分離し独立したキャパシタンス−デジタル変換器２１が存在する。ある実施形態では、それぞれのキャパシタンス−デジタル変換器２１は、異なる非線形性を有し得る。両方のキャパシタンス−デジタル変換器２１を利用して、読み取りのいくつかに対して第１変換器を使用するとともに読み取りのいくつかに対して第２変換器を使用することで、任意の単一の非線形性効果を軽減できる。
【００６４】
ある実施形態では、それぞれのセンサ板５の上で、それぞれ異なる１２の構成を用いてネイティブ読み取りを実施する。
【００６５】
センサ読み取りを完了した後、ある実施形態では、２つの異なる較正アルゴリズムを実施でき、第１は、個別のセンサ板５の変動に関して調整する個別板較正であり、第２は、面の密度／厚さに調和させるようにセンサ示度を調整する面材料較正である。他の実施形態は、これら２つの較正アルゴリズムの一方のみを使用することができる。ある実施形態は、他の較正アルゴリズムを使用することができる。ある実施形態では、較正モジュールによって較正アルゴリズムを実施する。
【００６６】
ある実施形態では、個別板較正をまず使用する。個別板較正によって、それぞれのセンサ板５は個別かつ独自の較正値を有することができる。ある実施形態では、センサ示度を取得した後、センサ示度のそれぞれに対して個別板の較正値を加算し又は減算する。他の実施形態では、乗算、除算又は他の数学関数を用いて、個別板較正を実施できる。ある実施形態では、個別板の較正値を不揮発性メモリに記憶させる。個別板較正は個別のセンサ板５の不規則性を補償し、個別板較正を用いてこれらの不規則性を補償する。ある実施形態では、個別板較正実施後に、難視構成検出器１がその上で難視構成検出器１を較正する面２に類似する面２の上に存在しながらセンサ板のセンサ示度を取得する場合、センサ示度がおそらく同じ較正値を有すると考えられる。例えば、難視構成３が存在せず、１／２インチ（1/2"）のシートロック２の上でセンサの読み取りを実施し、１／２インチのシートロック２に対して個別の較正値を生み出した場合、個別板較正を実施した後、センサ示度のすべてを共通の値に修正できると考えられる。センサの読み取りを、より厚い材料（例えば５／８インチ（5/8"）のシートロック２）上で実施する場合、より薄い材料（例えば３／８インチ（3/8"）のシートロック２）上で実施する場合、又は異なる材料（例えば３／４インチ（3/4"）のプライウッド）上で実施する場合、値にある誤差が存在し得る。面材料構成は、この誤差を修正するのに役立ち得る。
【００６７】
ある実施形態では、面材料構成を使用できる。
【００６８】
ある実施形態では、センサ板のセンサ示度を較正した後、難視構成検出器１は、難視構成３が存在するかどうか決定する。ある実施形態では、最も高いセンサ板示度から、最も低いセンサ板示度が減算される。この差がしきい値よりも大きい場合、難視構成３が存在すると判定する。
【００６９】
難視構成３が存在しないと判定される場合、全てのインジケータ６を不活性化できる。難視構成３が存在する場合、難視構成検出器１は、難視構成３の位置及び幅を決定するプロセスを始める。
【００７０】
ある実施形態では、パターンマッチングを利用して、どの発光ダイオードを活性化させるか決定できる。ある実施形態では、パターンマッチングモジュールを用いて、難視構成３の位置を決定する。パターンマッチングモジュールは、センサ板５からの較正され拡縮されるセンサ示度を、いくつかの所定のパターンと比較する。パターンマッチングモジュールは、所定のパターンのどれがセンサ示度と最も良く適合するかを決定する。その後、最も良く適合するパターンに対応するインジケータ６のセットが活性化される。パターンマッチングに関する付加的な詳細は、米国特許第8,884,633号明細書等の先行技術で議論される。当該詳細をここでは繰り返さず、代わりに読者は当該詳細を直接参照するよう促進される。
【００７１】
ある実施形態では、難視構成検出器１は、単一のキャパシタンス−デジタル変換器２１を備える。ある実施形態では、センサ板５を、キャパシタンス−デジタル変換器２１に個別に接続できる。ある実施形態では、センサ板５を、マルチプレクサ１８を経てキャパシタンス−デジタル変換器２１に個別に接続できる。ある実施形態では、２つ以上のセンサ板５を、キャパシタンス−デジタル変換器２１に一度に接続できる。ある実施形態では、多数の隣接するセンサ板５を、キャパシタンス−デジタル変換器２１に電気的に接続できる。ある実施形態では、多数の隣接しないセンサ板５を、キャパシタンス−デジタル変換器２１に接続できる。それぞれのセンサ板５からのセンサ示度は、キャパシタンス−デジタル変換器２１に対して変動の影響を等しく受けるため、マルチプレクサ１８を使用してセンサ板５を単一のキャパシタンス−デジタル変換器２１に接続することで、センサ板５のセンサ示度の一貫性を改善できる。キャパシタンス−デジタル変換器２１からセンサ示度に影響を及ぼし得る要因は、プロセス変動、温度変動、電圧変動、電気雑音及び経年化等を含むことができるが、これらに限定されるものではない。
【００７２】
ある実施形態では、複数センサ板トレース３５のそれぞれが実質的に等しいキャパシタンス、抵抗及びインダクタンスを有するように、センサ板トレース３５の経路を定める。ある実施形態では、それぞれのセンサ板トレース３５が同じ電気的性質を有し、それぞれのセンサ板５が同じ検出物に同等に応答できることが望ましい。
【００７３】
ある実施形態では、キャパシタンス−デジタル変換器２１から、それぞれのセンサ板５までの、それぞれのセンサ板トレース３５が、実質的に同じ長さである。ある実施形態では、キャパシタンス−デジタル変換器２１から、センサ板５までの、センサ板トレース３５の２つ以上が、実質的に同じ長さである。ある実施形態では、実質的に同じ長さを有するセンサ板トレース３５は、より同等のキャパシタンス、インダクタンス及び抵抗を有し得る。等しい長さのセンサ板トレース３５は、センサ示度の均一性を改善でき、センサ板５が同じ検出物に対してより同等に応答でき、温度及び湿度等の環境条件からより高いイミュニティを提供できるため、より高い性能を提供できる。
【００７４】
ある実施形態では、導電路を含むそれぞれのセンサ板トレース３５が、実質的に同じ幅を有する。ある実施形態では、センサ板トレース３５のそれぞれの幅及び長さの両方が実質的に同等である。ある実施形態では、センサ板トレース３５が、複数の部分を有し得る。例えば、トレースの第１部分は、センサ板トレース３５の、キャパシタンス−デジタル変換器２１からビアまでの経路を定め得る。ビアは、センサ板トレース３５を、センサ板トレース３５の第２部分が存在し得る、プリント回路基板の様々な層へ到達させ得る。ある実施形態では、全てのセンサ板トレース３５は、それぞれの部分で当該部分における他のトレースと、同じ長さ及び幅を有することができる。ある実施形態では、センサ板トレース３５の２つ以上が、第１部分の至る所で、同じ幅を有し得る。ある実施形態では、センサ板トレース３５の２つ以上が、第２部分の至る所で、同じ幅を有し得る。ある実施形態では、センサ板トレース３５の２つ以上が、第１部分の至る所で、同じ長さを有し得る。ある実施形態では、センサ板トレース３５の２つ以上が、第２部分の至る所で、同じ長さを有し得る。
【００７５】
ある実施形態では、センサ板トレース３５が、多数の部分を有し得る。ある実施形態では、センサ板トレース３５の部分を、集積回路のパッケージ内に存在し、シリコンの部品から集積回路パッケージのピンまでの信号の経路を定める、ワイヤボンドとすることができる。ある実施形態では、センサ板トレース３５の部分は、プリント回路基板の第１層上に銅の層を備え得る。ある実施形態では、センサ板トレース３５の部分は、プリント回路基板の第２層上に銅の層を備え得る。
【００７６】
ある実施形態では、キャパシタンス−デジタル変換器２１は、センサ板５のキャパシタンス及びセンサ板トレース３５の総計を読み出すことができる。ある実施形態では、センサ板５上のセンサ示度のみを検出し、センサ板トレース３５を検出しないことが望ましいことがある。しかしながら、センサ板５及びセンサ板トレース３５は電気的に結合しているため、センサ板トレース３５上で安定した均一のキャパシタンスを確保する手段が望まれることがある。例えば、センサ板トレース３５のキャパシタンスが均一かつ安定であるように、センサ板トレース３５を構成することが望ましいことがある。したがって、センサ板トレース３５が変化しないように、センサ板トレース３５を構成することが好ましいことがある。ある実施形態では、センサ板トレース３５が互いに変化せず、あるセンサ板トレース３５上のキャパシタンスの任意の変化がセンサ板トレース３５のそれぞれに反映されることが好ましいことがある。
【００７７】
ある実施形態では、センサ板トレース３５を遮蔽することが有利となり得る。センサ板トレースの遮蔽により、センサ板トレース３５を外部電磁場から保護できる。またある実施形態では、センサ板トレース３５を遮蔽することで、センサ板トレース３５のそれぞれが他のセンサ板トレース３５のそれぞれに類似する環境を有することを確保するのに役立つことにより、センサ板トレース３５に対してより一貫した環境を有利に提供できる。
【００７８】
ある実施形態では、キャパシタンス−デジタル変換器２１から、それぞれのセンサ板５までの、それぞれのセンサ板トレース３５が、実質的に同じ環境である。ある実施形態では、複数センサ板トレース３５の経路を十分に離して定め、複数センサ板トレース３５間の容量性結合及び誘導的結合を最小化し、それぞれのセンサ板トレース３５が他のセンサ板トレース３５により類似する環境を有し得るため、センサ板トレース３５は一貫性を改善できる。ある実施形態では、それぞれのセンサ板トレース３５の一方側又は両側が、能動遮蔽トレースで遮蔽される。
【００７９】
ある実施形態では、ユーザはセンシング回路２７に電気的に結合され得る。ある実施形態では、センシング回路２７の導電点がユーザに結合されるときに、センサ示度の品質が向上する。ユーザをセンシング回路２７に電気的に結合することで、センシング回路２７に対して変化のない電圧レベルを提供でき、より高感度かつより高品質のセンサ示度をもたらし得る。例えば、センサ板５を３．０Ｖで駆動する先行技術の難視構成検出器は実は、センサ板５をグラウンドに対して３．０Ｖである信号で駆動するにすぎないことがある。しかしながら、グラウンドが浮遊している場合、センサ板５を３．０Ｖで駆動することで、センサ板５上に１．５Ｖの信号をもたらすことができ、グラウンド上に−１．５Ｖの信号をもたらすことができる。ある実施形態では、センシング回路２７の導電点がユーザに結合されるときに、センサ示度の品質が向上しない。
【００８０】
ある実施形態では、ユーザをセンシング回路２７に電気的に結合することで、センサ板５上でより高い絶対電圧振幅をもたらし得る。この理由の一部は、センシング回路２７が安定したレベルで保持されることとなり得る。またある実施形態では、ユーザをセンシング回路２７に電気的に結合することで、より一貫性の高いセンサ示度をもたらし得る。
【００８１】
ある実施形態では、図４に表すように、ユーザをセンシング回路２７のグラウンドに電気的に結合する。ある実施形態では、ユーザをセンシング回路２７の電圧源に電気的に結合する。ある実施形態では、ユーザをセンシング回路２７の異なる導電点に電気的に結合する。
【００８２】
ある実施形態では、ユーザの手は、センシング回路２７と直接接触することで、センシング回路２７に電気的に結合され得る。ある実施形態では、ワイヤ等の導電性材料はユーザの手をセンシング回路２７に電気的に結合できる。ある実施形態では、ユーザが難視構成検出器１を作動させるために接触する必要があり得るボタンは、センシング回路２７に電気的に結合され得る導電性材料を含み得る。ある実施形態では、ボタンはアルミニウム又は錫めっき鋼等の他の導電性材料を含み得る。ある実施形態では、アルミニウムボタンを陽極化でき、これにより心地よいコスメティックを提供できる。
【００８３】
ある実施形態では、難視構成検出器１のハウジング１９（図２参照）は、導電性プラスチック等の導電性材料を含み得る。ある実施形態では、ハウジング１９の一部のみが導電性プラスチックを含み得る。導電性ハウジング又は導電性ハウジングの一部は、センシング回路２７の導電点に結合でき、これによりユーザをセンシング回路２７に結合できる。
【００８４】
ある実施形態では、カーボンブラックをプラスチック樹脂と混合することで、導電性を提供できる。カーボンブラックがプラスチック樹脂内に混合されているときに、ポリプロピレン及びポリエチレンを含む多数の熱可塑性プラスチックは導電性となる。ある実施形態では、カーボンブラックの濃度が上昇するにつれて導電性が向上し、プラスチックの導電性を有利に制御できる。ある実施形態では、２５，０００Ω・ｃｍ未満の導電性を有するプラスチックは、ユーザをセンシング回路２７に有効に結合するのに十分な高さの導電性である。ある実施形態では、高度な導電性が望まれ得る。ある実施形態では、より低い程度の導電性が望まれ得る。ある実施形態では、ユーザが約５０ＭΩ未満の経路によってセンシング回路に結合されることが有利である。
【００８５】
ある先行技術の難視構成検出器では、ユーザの手の位置の変化により、センサ示度が変化し得る。手がセンサ板５とグラウンドとの間の経路の一部を形成するために、このことが、ある先行技術の難視構成検出器では起こりうる。その結果、手の位置の変化により、センサ板５のセンサ示度が変化し得る。このことは、センサ示度の精度を不利に低下させ得る。
【００８６】
ユーザの手のサイズ及び位置を不変にできれば、生センサ示度からユーザの手の影響を数学的に取り除く較正調整ができ得る。しかしながら、このことは実際には実行可能ではないことがある。実際には、様々なユーザの手のサイズ、形状及び位置は、較正調整を実用的に可能にするには相違しすぎていることがある。
【００８７】
上述した問題を考慮した性能を向上するために、ある実施形態では、導電性ハンドガードをユーザの手とセンサ板５との間に配置し得る。ある実施形態では、図４に示すように、ハンドガードをセンシング回路２７に対して接地できる。
【００８８】
図５は、一実施形態に従うコントローラ６０の図である。コントローラ６０は、プロセッサ６１、クロック６２、ランダム・アクセス・メモリ（ＲＡＭ）６４、不揮発性メモリ６５及び／又は他のコンピュータ可読媒体を含む。不揮発性メモリ６５は、（例えばプログラムコード又は作業を実施するためのコンピュータ可読命令の形態の）プログラム６６及び較正テーブル６８を含み得る。作業時に、コントローラ６０は、プログラム６６を受け取ることができ、キャパシタンス−デジタル変換器２１及び表示回路２５（図４参照）の機能を同期させることができる。不揮発性メモリ６５は、プログラム６６とルックアップテーブル（ＬＵＴ）と較正テーブル６８とを受け取り記憶する。プログラム６６は、例えば初期化アルゴリズム、較正アルゴリズム、パターンマッチングアルゴリズム、多重化アルゴリズム、ディスプレイ管理アルゴリズム、アクティブセンサ作動アルゴリズム及び非アクティブセンサ管理アルゴリズム等の多数の適切なアルゴリズムを含み得る。
【００８９】
図６は、一実施形態に従い、ハウジングを含み、ライトパイプ及びボタン並びにプリント回路基板を有する難視構成検出器の断面図である。ある実施形態では、図６に表されるように、ハウジング１９は、上部ハウジングと、オン−オフスイッチ２４と、ハンドル１４と、複数のライトパイプ８と、電源コンパートメントとを備える。ある実施形態では、適合コアが、ハウジング１９をセンサ板ボード４０に弾力的に結合するように構成され得る。ある実施形態では、センサ板ボード４０は、最上部層４４、第２層４３、第３層４２及び底部層４１を有する、多層状のプリント回路基板である。ある実施形態では、図４を参照して上述したように、センサ板ボード４０は、キャパシタンス−デジタル変換器２１、表示ユニット２５及びコントローラ６０を結合する多層状のプリント回路基板である。ある実施形態では、ハウジング１９がプラスチックを含む。ある実施形態では、ハウジング１９がＡＢＳ（アクリロニトリル・ブタジエン・スチレン）プラスチックを含む。ある実施形態では、導電性ハンドガード５６がユーザの手をセンサ板ボード４０から遮蔽する。ある実施形態では、ハンドガード５６がセンシング回路のグラウンドに接続される。
【００９０】
ある実施形態では、ハンドル１４が把持面を含む。ある実施形態では、把持面の一部は、ハンドル１４をより把持しやすくするエラストマを含む。ハンドル１４は好ましくは、ユーザの手がハンドル１４を把持しているときにインジケータ６の眺めを隠さないように位置付けられる。ある実施形態では、電源コンパートメントは、バッテリー等の適切な電源を保持するための空洞と、コンパートメントにアクセスするためのバッテリカバーとを含む。
【００９１】
ある実施形態では、ハンドガード５６は、センサ板とユーザの手との間に大きな直線経路が存在しないように構成され得る。ある実施形態では、ハウジング１９は、ハンドガード５６を備え得る導電性材料から構成され得る。ある実施形態では、ハンドガード５６の材料の導電層を、導電性プラスチックの層とすることができる。ある実施形態では、ハンドガード５６の材料の導電層を、導電ペイント等の異なる導電材料の層とすることができる。ある実施形態では、ハンドガード５６の材料の導電層を、ハウジング１９内に隠れた金属のシートとすることができる。ある実施形態では、ハンドガード５６は、急速、容易かつ信頼性の高いはんだ接合を提供し得る錫めっき鋼を含み得る。ある実施形態では、プリント回路基板の層全体が、ハンドガード５６を備え得る。ある実施形態ではハンドガード５６に関して層全体を含む必要が無いことがあるため、ある実施形態ではプリント回路基板の層の一部のみが、ハンドガード５６を備え得る。例えば、プリント回路基板の外側周りの輪を有効ハンドガード５６とすることができる。
【００９２】
ある実施形態では、このハンドガード５６は、手のサイズ及び位置の影響を最小化するように構成される。ある実施形態ではハンドガード５６が手の最も近くに存在するときにハンドガード５６が最も有効となり得るため、ある実施形態ではハンドガード５６はハンドガード５６が手の近くに存在するように位置付けられる。ある実施形態では、ハンドガード５６はセンシング回路２７（図４参照）のグラウンドに電気的に結合され得る。ある実施形態では、ハンドガード５６はセンシング回路２７の電位に結合され得る。ある実施形態では、センシング回路２７の異なる導電点がハンドガード５６に電気的に結合され得る。ある実施形態では、電線は、ハンドガード５６とセンシング回路２７との間に電路を含む。
【００９３】
先行技術の難視構成検出器では一般に、例えば図７，８，９及び１０に表されるように、同一のセンサ板１０５のセットが直線的に配置される。図７は、比較的より薄い面１２上に配置されている、先行技術の難視構成検出器１０１である。図８は、比較的より厚い面１３上に配置されている、先行技術の難視構成検出器１０１である。図９は、先行技術の難視構成検出器１０１の側面図を表し、センサ板Ａ，Ｂ，Ｃ，Ｄ，Ｅを含む、いくつかのセンサ板１０５に対する主要センシングフィールドゾーン１５，１６，１７を示す。図１０は、先行技術の難視構成検出器１０１の底面の正面からの図を表し、センサ板Ａ，Ｂ，Ｃ，Ｄ，Ｅに対する主要センシングフィールドゾーン１５，１６，１７を示す。
【００９４】
全体的かつ集合的に図７−１４を参照して、それぞれのセンサ板１０５は、面２に対するセンサ読み取りを行う。その後センサ示度が比較される。最も高い示度を有するセンサ板１０５は、難視構成の位置に存在すると判断される。しかしながら、図７及び図８に表されるように、群の端部付近に存在するセンサ板１０５は、難視構成に対して、中心付近に存在するセンサ板１０５と同じようには応答しないことがある。先行技術の難視構成検出器１０１が、より薄い面からより薄い面又はより密度の低い面１２から、より厚い面から又はより密度の高い面１３に移動するときに、この問題点は特に明白となることがある。
【００９５】
図７は、比較的薄い面１２の上に配置される先行技術の難視構成検出器１０１の典型的なセンサ示度を表す。比較的薄い面１２を、厚さ０．３７５インチのシートロックとすることができる。図８は、比較的厚い面１３の上に配置される先行技術の難視構成検出器１０１の典型的なセンサ示度を表す。比較的厚い面１３を、厚さ０．６２５インチのシートロックとすることができる。
【００９６】
図７では、先行技術の難視構成検出器１０１は、比較的薄い面１２の上に配置される。各センサ板１０５は、それぞれ較正される示度（例えば１００）を有するよう、較正調整を有し得る。この同じ先行技術の難視構成検出器１０１をその後、より厚い他の面１３又はより高い誘電率を有する面に移動させた場合、センサ示度は変化するであろう。より厚い面１３の上に存在する同じ先行技術の難視構成検出器１０１の姿を、図８に表す。理想的には、難視構成が存在しない場合、複数センサ板１０５は全て同じより厚い面１３の上に存在するため、より厚い面１３の上のセンサ板１０５のそれぞれは互いに類似するセンサ示度を有するであろう。しかしながら、端部付近のセンサ板１０５のセンサ示度は、中央付近のセンサ板１０５よりも大きな示度を生ぜしめることが観察され得る。図８では、中央付近のセンサ板１０５は２００のセンサ示度を有するが、端部のセンサ板１０５は２５０のセンサ示度を有することが見られ得る。
【００９７】
図８の先行技術の難視構成検出器１０１及び他の先行技術の難視構成検出器において、端部に存在するセンサ板１０５は、センサ板１０５のグループの縁の上方に延びる電界９を生み出すときに孤立する。その結果、端部付近のセンサ板１０５は、より厚い面１３の上に配置されるときに、より不釣り合いに高い示度で応答することがある。コントローラ６０は、上昇したセンサ示度が、難視構成が存在することによるか、先行技術の難視構成検出器１０１がより厚い面１３の上に配置されていることによるかを判定することに不利に難航し得る。開示される実施形態は、これらの及び他の課題に対処できる。
【００９８】
図９は、図７及び８の先行技術の難視構成検出器１０１に対するフィールドラインを示す。図９は、センサ板１０５のグループを表し、また各センサ板１０５に対するフィールドラインの２次元表現を表す。フィールドラインは説明を目的に表されるものであり、実際上のセンシングフィールドを表現するものである。描かれるフィールドラインは、等電位電界ラインである。しかしながら、この図は本開示の範囲をこの種類のフィールドのみに限定するものではない。ベクトル電界ライン又は磁界ラインを図示でき、当該ベクトル電界ライン又は磁界ラインは本開示の範囲内に存在する。センシングフィールドを電界とすることができ、又はセンシングフィールドを磁界とすることができ、又はセンシングフィールドを電界及び磁界の組み合わせである電磁界とすることができる。
【００９９】
図９には、１３のセンサ板１０５が存在する。センサ板１０５のすべてを同じ信号によって同時に駆動できる一方、一度に１つのセンサ板１０５を感知する。センサ板１０５が同じ信号によって同時に駆動されるため、センシングフィールドは、図９に示すように、センサ板１０５のグループによって生み出されるフィールドにより定められる。能動遮蔽平面は図示されないが、ある実施形態では能動遮蔽はセンシングフィールドに寄与し得る。センサ板１０５の５つをＡ，Ｂ，Ｃ，Ｄ，Ｅと呼ぶ。センサ板Ｅから発するフィールドラインは本来、センサ板Ｅと平行である。しかしながら、センサ板Ａから発するフィールドラインは、センサ板Ａとあまり平行ではない。これらフィールドラインは主要センシングフィールドゾーン内の各点で方向及び強度が類似しないため、センサ板Ａ及びＥはこれらの主要センシングフィールドゾーン内で類似するセンシングフィールドを持たない。
【０１００】
これに対して、センサ板Ｄ及びセンサ板Ｅが有効に感知できるセンシングフィールドの体積及び主要センシングフィールドゾーン内のセンシングフィールドが類似するため、センサ板Ｄ及びセンサ板Ｅは類似する主要センシングフィールドゾーンを有する。センシングフィールドの方向及びセンシングフィールドの強度が主要センシングフィールドゾーン内の各点で類似する場合、主要センシングフィールドゾーン内のセンシングフィールドが類似する。
【０１０１】
図１０は、異なる角度又は視点から同じ概念を示す。図１０では、５つのセンサ板１０５が再びＡ，Ｂ，Ｃ，Ｄ，Ｅと呼ばれる。センサ板１０５のそれぞれに対するおおよその主要センシングフィールドゾーンを強調する。図１０の２次元図上で、センサ板Ａに対する主要センシングフィールドゾーン１５が、センサ板Ａに対するセンシングフィールドラインの図面によって示される。図１０の２次元図上で、センサ板Ｂに対する主要センシングフィールドゾーン１６が、センサ板Ｂに対するセンシングフィールドラインの図面によって示される。図１０の２次元図上で、センサ板Ｃに対する主要センシングフィールドゾーン１７が、センサ板Ｃに対するセンシングフィールドラインの図面によって示される。
【０１０２】
図９及び１０は、主要センシングフィールドゾーンを２次元図で示す。しかしながら、実際には、３次元主要センシングフィールドゾーンが存在し得る。各センサ板１０５に対して、所与の各センサ板１０５に対する主要センシングフィールドゾーンを含む３次元ゾーンが存在し得る。図９及び１０の先行技術の実施形態と対照的に、本開示のある実施形態では、センサ板１０５は同等の主要センシングフィールドゾーンを有し得る。同等の主要センシングフィールドゾーンを有するグループの各センサ板１０５は、面の変化に対して同等に応答する。本開示は、グループの各センサ板１０５が同等の主要センシングフィールドゾーンを有し得る、いくつかの構成を示す。ある実施形態では、類似する主要センシングフィールドゾーンを有する各センサ板１０５は、検出される面の変化に応じて、類似するセンサ示度の変化を有することができる。
【０１０３】
図１１は、一実施形態に従い、面の後ろの難視構成を検出する方法２００の流れ図である。図１１の流れ図に示されるように、第１作業を、検出器の初期化とでき（２０２）、これは初期化アルゴリズムを動かすことを伴い得る。検出器は、本明細書で説明する一実施形態に従うことができる。初期化後、センサ板を読み取ることができる（２０４）。ある実施形態では、各センサ板を複数回、毎回相違する構成を用いて読み取ることができる。この相違する構成は、相違する駆動電流、相違する電圧レベル、相違するセンシングしきい値又は他の相違する構成パラメータを含み得る。センサ板のこれら読み取りのそれぞれを、ネイティブ読み取りと呼ぶことができる。ある実施形態では、多数のネイティブ読み取りを一緒に追加して、示度を生成する。ある実施形態では、それぞれのセンサ板に対して分離した読み取りが存在し得る。
【０１０４】
ある実施形態では、これらの読み取りのそれぞれは、各示度に対して所定の較正値を追加することで達成される、較正調整を実施する（２０６）。ある実施形態では、較正後、検出器が一様な面上に配置されている場合、センサ板のそれぞれに対する示度を等しくできる。
【０１０５】
ある実施形態では、最も高いセンサ板示度を、最も低いセンサ板示度に対して比較する（２０８）。その後、この差をしきい値と比較する（２０８）。ある実施形態では、この差が所定のしきい値未満である場合、全てのインジケータをオフにして（２１０）、びょうが存在しないことを示し得る。この差が所定のしきい値よりも大きい場合に、どのインジケータを活性化するかについて決定できる。特定の実施形態では、示度を所定の範囲まで拡縮でき（２１２）、このことは最低値を０等の数に設定し、最高示度を１００等の値まで拡縮することを伴い得る。それから、すべての中間値を比例的に拡縮できる。拡縮される示度をその後、同様に拡縮される所定のパターンに対して比較できる（２１４）。
【０１０６】
ある実施形態では、所定のパターンのセットが存在し得る。所定のパターンのセットは、検出器が遭遇し得る、隠れた構成の様々な組み合わせに対応し得る。例えば、所定のパターンのセットは、単一のびょうに対する様々な位置に対応し得る。ある実施形態では、所定のパターンのセットは、２つのびょうの位置の組み合わせを含み得る。パターンマッチングアルゴリズムを用いて、所定のパターンのどれが示度パターンに最も良く適合するか決定できる。その後検出器は、最も良く適合する所定のパターンに対応するインジケータを活性化させることができる（２１６）。
【０１０７】
他の実施形態では、センサ板示度を較正した後、難視構成が存在するかどうか決定する。最高センサ板示度から、最低センサ板示度を減算できる。この差がしきい値よりも大きい場合、難視構成が存在すると判定する。難視構成が存在しないと判定される場合、全てのインジケータを不活性化できる。難視構成が存在する場合、プロセスは、難視構成の位置及び幅を決定し始めることができる。ある実施形態では、全ての電流センサ板示度を拡縮して、最低示度を所定の値（例えば０）に拡縮し、最高示度を第２の所定の値（例えば１００）に拡縮できる。全ての中間値を比例的に拡縮できる。拡縮される示度は、所定のパターンのセットに対する比較をより容易にできる。
【０１０８】
図１２は、典型的な板構成を有する、先行技術の難視構成検出器１２００の構成である。図示するように、難視構成検出器１２００は、３つ以上のセンサ板５と、共通板１２０２と、能動遮蔽板２３とを備え得る。
【０１０９】
図示される実施形態では、センサ板５が直線的に配置されてセンサアレイ７を形成する。図示するように、センサ板５は同じ幾何学的形状を有することができ、等間隔に配置され得る。それぞれのセンサ板５は、他の１つ以上のセンサ板の内側境界の少なくとも一部に沿って延在する内側境界と、センサアレイ７の外側境界線に配置される外側境界とを有する。直線的センサアレイは、２つの端部センサ板１２１０，１２１２と、少なくとも１つの非端部センサ板１２１４とを含む。
【０１１０】
各センサ板５は、センサ板５の１つ以上の周囲の物体に対する接近度と、１つ以上の周囲の物体のそれぞれの材料特性とに基づいて変わる、センサ示度を取得するように構成される。センサ読み取りを容易にするために、それぞれのセンサ板５のある領域は、対応する電界の第１端部を形成できる。
【０１１１】
共通板１２０２は、各センサ板１２０２の対応電界の第２端部を形成できる。共通板１２０２は、センサアレイの長さ１２２２に沿って延びる長さ１２２０を有し、共通板１２０２は、それぞれのセンサ板５の１つの外側境界に沿って延在する。図示するように、共通板は、センサアレイ７の全長さ寸法の上方を延在する。現在入手できる板構成の共通板は、ハウジングのサイズ又は形状、遮蔽構成又は他の理由のためのいずれにせよ、センサアレイよりも少なくとも１７ミリメートル長い。このようなより長い共通板で形成される端部センサ板の電界は、このようなより長い共通板で形成される非端部センサ板で形成される電界と比較して、一様ではない。
【０１１２】
図１３は、短縮共通板１３０２を含む改善した板構成を有する難視構成検出器１３００である。図示するように、難視構成検出器１３００は、３つ以上のセンサ板５と、短縮共通板１３０２と、能動遮蔽板２３とを備え得る。
【０１１３】
図示される実施形態では、センサ板５が直線的に配置されてセンサアレイ７を形成する。図示するように、センサ板５は、同じ幾何学的形状を有することができ、等間隔に配置され得る。他の実施形態では、センサ板５は、サイズ及び／又は形状が変わることがあり、センサアレイ７のセンサ板５の位置に基づいて、異なる間隔で配置され得る。それぞれのセンサ板５は、他の１つ以上のセンサ板の内側境界の少なくとも一部に沿って延びる内側境界と、センサアレイの外側境界線に配置される外側境界とを有する。直線的センサアレイ７は、２つの端部センサ板１３１２，１３１２と、少なくとも１つの非端部センサ板１３１４とを含む。
【０１１４】
各センサ板５は、センサ板の１つ以上の周囲の物体に対する接近度と、１つ以上の周囲の物体のそれぞれの材料特性とに基づいて変わる、センサ示度を取得するように構成される。センサ読み取りを容易にするために、それぞれのセンサ板５のある領域は、対応する電界の第１端部を形成できる。
【０１１５】
短縮共通板１３０２は、各センサ板の対応電界の第２端部を形成できる。短縮共通板１３０２は、センサアレイ７の長さ１３２２に沿って延びる長さ１３２０を有し、共通板１３０２は、センサアレイ７に沿い、３つ以上のセンサ板５のそれぞれの１つの境界線に少なくとも部分的に沿って延在する。ある実施形態では、短縮共通板は、端部センサ板の一方又は両方に沿って延在しないことがある。短縮共通板１３０２の長さ１３２０は、短縮共通板１３０２が延在する、センサアレイ７の全体長さ寸法よりも短い。図示する実施形態では、短縮共通板１３０２は、センサアレイ７に沿って中央揃えされる。ある実施形態では、短縮共通板の中心をずらすことができる。
【０１１６】
能動遮蔽板２３は、センサ板５と短縮共通板１３０２とを分離する。図示する実施形態では、能動遮蔽板２３は、短縮共通板１３０３を短縮共通板１３０３の３つの側面沿いに囲む。他の実施形態では、能動遮蔽板２３は、短縮共通板１３０２の長さ１３２０に沿って延ばすだけにできる。しかしながら、共通板を囲む能動遮蔽板２３を有することで、製造の複雑さを減少させることができる。
【０１１７】
ある実施形態では、一度に１つのセンサ板５を感知できる。ある実施形態では、１つのセンサ板５を感知するときに、能動遮蔽板２３を含む全てのセンサ板５を、感知されるセンサ板５と同じ信号で駆動する。能動遮蔽板２３を加えたセンサアレイ７を一緒に駆動するときに、対応電界のフィールドラインを、単一のセンサ板５のみを駆動する場合に可能となり得るフィールドラインよりも、感知される面に深く押し進めることができる。ある実施形態では、これにより、単一のセンサ板５を単独で駆動する場合よりも、単一のセンサ板５からのフィールドラインをより深く貫通させ、単一のセンサ板５がより深く感知できる。
【０１１８】
図１４は、図１２の先行技術の板構成１２００が生成する電界を示す。それぞれのセンサ板５は、主要結合領域１４０２，１４１２を提供して、対応電界１４０６，１４０８の第１端部を形成するように構成される。更に、共通板１２０２は、対応主要結合領域１４０４，１４１４を提供して、センサ板５に対応し、センサ板５の対応電界１４０６，１４０８の第２端部を形成するように構成される。
【０１１９】
主要結合領域１４０２，１４１２は、電界１４０６，１４０８が主に結合する、センサ板５の領域である。図示する先行技術では、端部センサ板１２１０の主要結合領域１４０２は、共通板１２０２の対応主要結合領域１４０４とのライン１４２０上に存在する。同様に、非端部センサ板１２１４の主要結合領域１４０４は、共通板１２０２の対応主要結合領域１４１４とのライン１４２２上に存在する。図示するように、共通板１２０２の対応主要結合領域１４０４に対する、端部センサ板１２１０の主要結合領域１４０２のライン１４２０は、共通板１２０２の対応主要結合領域１４１４に対する、非端部センサ板１２１４の主要結合領域１４０４のライン１４２２とほぼ平行である。
【０１２０】
図示するように、この構成で端部センサ板１２１０から形成される電界１４０６は、非端部センサ板１２１４から形成される電界１４０８とは異なる幾何学的形状を有する。周囲のセンシング板５が生成する電界は、他のセンシング板５のそれぞれに影響を及ぼす。不均一な電界１４０６は、両側面沿いにセンサ板５を持たない端部センサ板１２１０から生まれる。電界１４０６の不均一性は、難視構成の不正確な検出又は検出漏れをもたらし得る。例えば、端部センサ板１２１０が生成する電界１４０６は、非端部センサ板１２１４が生成する電界１４０８よりも、面をより広く貫通し得る。センシング領域が相違するため、端部センサ板１２１０は難視構成を誤って識別することがある。
【０１２１】
図１５は、図１３の難視構成検出器１３００の板構成において、端部センサ板１３１０と非端部センサ板１３１４との間に生成される電界１５０６，１５０８を示す。主要結合領域（例えば１５０２，１５１２）は、センサ板５を共通板１３０２に結合できる。それぞれのセンサ板５は、主要結合領域（例えば１５０２，１５１２）を提供して、対応電界の第１端部を形成するように構成される。短縮共通板１３０２は、センサ板５にそれぞれ対応する対応主要結合領域（例えば１５０４，１５１４）を提供し、センサ板５の対応電界の第２端部を形成するように構成される。
【０１２２】
例えば図示するように、端部センサ板１３１０は主要結合領域１５０２を提供するように構成され、非端部センサ板１３１４は主要結合領域１５１２を提供するように構成される。共通板１３０２は、端部センサ板１３１０の主要結合領域１５０２に対応する対応主要結合領域１５０４と、非端部センサ板１３１４の主要結合領域１５１２に対応する対応主要結合領域１５１４とを提供するように構成される。
【０１２３】
図示するように、電界１５０６，１５０８は、センサ板５の主要結合領域１５０２，１５１２を、共通板１３０２の対応主要結合領域１５０４，１５２４に結合する。端部センサ板１３１０の主要結合領域１５０２は、共通板１３０２の対応主要結合領域１５０４との第１ライン１５２０上に存在する。さらに、非端部センサ板１３１４の主要結合領域１５１２は、共通板１３０２の対応主要結合領域１５１４とのライン１５２２上に存在する。
【０１２４】
類似する電界を達成するために、センサ板５及び共通板１３０２の結合領域間で、第１ライン１５２０と第２ライン１５２２とは平行でない。隣接センシング板５が生成する電界は、他の各センシング板５に影響を及ぼす。端部センサ板１３１０は隣接センサ板５を１つだけ有するため、電界１５０６は当然、非端部センサ板１３２４の電界１５０８よりも長い距離に伝わるであろう。図１４に表されるように、より長い距離の経路は、難視構成検出器の向こうに延び得る。これに対し、図１５に表されるように、短縮共通板１３０２は、電界１５０６を電界１５０８の付近の位置に引き寄せる。これは、短縮共通板１３０２のサイズ設定及び配置が、先行技術の難視構成検出器と比較して、端部センサ板１３１０からの電界１５０６の、非端部センサ板１３１４からの電界１５０８に対する類似度が高くなるためであろう。
【０１２５】
ある実施形態では、端部センサ板１３１０に対応する電界１５０６は、非端部センサ板１３１４に対応する電界１５０８と、同じサイズ、形状、方向及び／又は幾何学的形状を有する。ある実施形態では、それぞれのセンサ板５に対応する電界は、他のそれぞれのセンサ板５と同じサイズ、形状、方向及び／又は幾何学的形状を有する。ある実施形態では、センサ板５のグループのそれぞれに対応する電界は、同じサイズ、形状、方向及び／又は幾何学的形状を有する。
【０１２６】
ある実施形態では、それぞれのセンサ板５が、面又は検出物に対する変化に、より一様に応答できるため、類似する電界のサイズ、形状、方向及び／又は幾何学的形状は、より一貫した示度をもたらす。それぞれ同様に応答するセンサ板５は、壁のより深くに存在する難視構成又は検出するのがより困難となり得る難視構成を、より良く検出できる。類似する電界によって、様々な異なる面上で使用できるとともに様々な異なる面上で等しく良好に作動できる難視構成検出器を成果とできる。また、より深く、若しくはより正確に、又はより深くかつより正確に感知できる難視構成検出器を成果とできる。
【０１２７】
ある実施形態では、難視構成検出器は、３つ以上のセンサ板の全体長さ寸法未満の共通板を有し得る。この構成の結果、類似する寸法、形状及び／又は幾何学的形状を有する電界を形成できる。ある実施形態では、難視構成検出器は、３つ以上のセンサ板の全体長さ寸法に１６ミリメートル加えた寸法未満の共通板を有し得る。センサアレイの長さに加えて１６ミリメートルの長さ未満の共通板の当該構成により、類似するサイズ、形状、方向及び／又は幾何学的を有する電界をもたらし得る。言い換えれば、ある実施形態では、アレイに付加した長さとして定められる長さが存在し得る。アレイに付加した長さは、センサアレイの全体長さよりも最大で１６ミリメートル長くできる。ある実施形態では、このアレイに付加した長さは、センサアレイの全体長さよりも最大でセンサ幅の１．５倍長くできる。言い換えれば、共通板の長さの寸法を、アレイよりも、センサ板の幅（例えば端部センサ板の幅）の最大１．５倍だけ長くとることができる。アレイに付加した長さ未満の共通板を有する難視構成検出器を、短縮共通板と呼ぶことができる。ある実施形態では、短縮共通板を有する難視構成検出器は、より類似するサイズ、形状、方向及び／又は幾何学的形状をそれぞれ有する複数電界を有し得る。
【０１２８】
電界の類似度が増加する結果、難視構成検出器は、より正確に感知でき、そして面内により深く及び／又は面を通ってより深く感知できる。
【０１２９】
短縮共通板を有する難視構成検出器は、先行技術で説明される共通板を有する難視構成検出器と比較して、より類似するサイズ、形状、方向及び／又は幾何学的をそれぞれ有する複数電界を有し得る。各センサ板に関連付けられる電界のサイズ又は形状又は方向又は幾何学的形状をより一様とすることで、それぞれのセンサ板に対してより一様な示度を提供できる。それぞれ類似する電界を有する複数センサ板はそれぞれ、異なる面の材料及び厚さに対してより一様に応答できる。例えば、短縮共通板を有する難視構成検出器の一実施形態を、厚さ０．２５インチのシートロックの面等の特定の面上に配置できる。それぞれのセンサ板は、この面上に配置されているときに、それぞれ同じ示度（例えば１００単位の示度等）を有し得る。この例では、同じ難視構成検出器が異なる面（例えば０．５０インチのシートロック）上に配置されている場合、それぞれの示度が異なる値に変わることがあるが、再びそれぞれのセンサ板の示度（例えば２００単位の値）は類似し得る。それぞれのセンサ板からの示度が類似する示度を提供するとき、難視構成検出器がどのような面上に配置されているかに関係なく、センサ板の示度の任意の変動は、難視構成の存在に起因し得る。短縮共通板を有する難視構成検出器によって、様々な平面にわたって、示度の一様性を、先行技術の難視構成検出器よりも高く維持できる。示度が面とは無関係に一様であることにより、より正確かつより深く感知でき、構成をより正確に識別でき、２つの物体を同時かつより正確に感知できる。ある実施形態では、短縮共通板は、各センサ板に対するセンシングフィールドを、センサ板に近い範囲でより正確に位置付けられる有利な成果を有し得る。その結果、難視構成検出器は、より正確かつより深く感知できる。
【０１３０】
現在入手できる難視構成検出器では、共通板の幅は８．００ミリメートル未満である。改善した難視構成検出器のある実施形態では、共通板の幅が８．００ミリメートル超である場合に、性能が改善し得る。幅８．００ミリメートル超の共通板を有する難視構成検出器は、先行技術で説明される共通板を有する難視構成検出器と比較して、より類似するサイズ、形状、方向及び／又は幾何学的をそれぞれ有する複数電界を有し得る。
【０１３１】
図１５に表すように、難視構成検出器１３００は、センサアレイ７の端部センサ板１３１０の主要結合領域１５０２を、１つ以上の共通板の対応主要結合領域１５０４との第１ライン１５２０上に有し得る。また難視構成検出器は、センサアレイ７の非端部センサ板１３１４の主要結合領域１５１２を、１つ以上の共通板の対応主要結合領域１５１４との第２ライン１５２２上に有し得る。ある実施形態では、第１ライン１５２０及び第２ライン１５２２は平行ではない。このことは類似する寸法、形状及び幾何学的形状を有する電界をもたらし得る。
【０１３２】
言い換えれば、非端部センサ板１３１４に対応する電界の始まり及び終わりが第１ライン１５２０上に存在する場合、端部センサ板１３１０に対応する電界の始まり及び終わりが第２ライン１５２２上に存在する場合、及び第１ライン及び第２ラインが平行でない場合、端部センサ板１３１０に対応する電界１５０６は、非端部センサ板１３１４に対応する電界１５０８に対して、第１ライン及び第２ライン１５２０，１５２２が平行である場合よりも類似し得る。結果として、それぞれのセンサ板５が、面又は検出物の変化に対してより一様に応答し得る。その結果、難視構成検出器１３００は、より正確かつより深く感知できる。
【０１３３】
例えば、難視構成の存在によって、物体がセンサ板の近くに配置されているときに、センサ板５の１つに特定の示度を持たせる場合、難視構成がセンサ板５に対して同じ位置に配置されているときに、それぞれのセンサ板５に対して同じ示度を持たせることが望ましいであろう。まさに説明される一様な応答によって、面の材料又は厚さに対してより無関係に感知でき得る。結果として、びょうは面の材料又は厚さとは無関係に、より正確に感知される。
【０１３４】
図１５の難視構成検出器１３００の実施形態の板構成により、端部センサ板１３１０から形成される電界１５０６と、非端部センサ板１３１４から形成される電界１５０８とに、類似するサイズ、形状又は姿勢を持たせる。このことは、図１４に表す電界とは対称的である。電界の一様性は、難視構成検出器の精度を向上させ得る。精度の向上により、類似する読み取り（類似する深さ及び幅に及ぶ読み取り）を行うそれぞれのセンシング板５の電界をもたらし得る。
【０１３５】
図１６は、複数共通板１６０１を有する板構成１６００に関して、端部センサ板１３１０及び非端部センサ板１３１４から発する電界１６０６，１６０８を示す。図示されるように、複数共通板１６０１の大きさを決め、構成し、位置合わせして、端部センサ板１３１０から形成される電界１６０６に、非端部センサ板１３１４から形成される電界１６０８と類似するサイズ、形状及び／又は姿勢を持たせることができる。複数センサ板１６０１を、直線的に配置してセンサアレイ７の長さに沿って延在させることができる。
【０１３６】
まさに図１５に表すように、センサアレイ７の端部センサ板１３１０の主要結合領域１６０２は、複数共通板１６０１の対応主要結合領域１６０４との第１ライン上に存在する。さらに、センサアレイの非端部センサ板１３１４の主要結合領域１６１２は、複数共通板１６０１の対応主要結合領域１６１４との第２ライン上に存在する。複数共通板１６０１の位置決めのために、第１ラインと第２ラインとは平行でなく、端部センサ板１３１０から形成される電界１６０６に、非端部センサ板１３１４から形成される電界１６０８に対して類似する幾何学的形状を持たせる。電界の一様性は、難視構成検出器の精度を向上させ得る。
【０１３７】
図１７は、面の後ろの難視構成を検出する方法１７００を示すフローチャートである。当該方法は、難視構成検出器の３つ以上のセンサ板及び短縮共通板の間でセンサ読み取りを行うステップ１７０２を含む。３つ以上のセンサ板は、センサアレイに直線的に配置される。センサの読み取りは、難視構成検出器の３つ以上のセンサ板及び共通板の間に形成されるセンシングフィールドの範囲からなる。共通板の寸法は、センサアレイの寸法未満である。
【０１３８】
当該方法は、センシング回路によって３つ以上のセンサ板のセンサ示度を測定するステップ１７０４と、センシングフィールドの異なる領域のセンサ示度の測定値を比較するステップ１７０６と、を更に含む。測定されるセンサ示度を、キャパシタンス示度又は電磁示度とすることができる。さらに、当該方法は、インジケータを不活性状態から活性状態へトグルで切り替えて（１７０８）、比較的高いセンサ示度を有するセンシングフィールドの範囲の位置を示すことができる。
【０１３９】
＜実施例＞
以下の記載は、本開示の範囲内に存在するいくつかの例示的実施形態である。本開示を提供する複雑さを回避するため、以下に列挙する実施例のすべてが、本明細書で以下に列挙する他の実施例及び上述した他の実施例のすべてと組み合わせ可能と考えられると別個かつ明白に開示されているわけではない。ある当業者が、以下に列挙するこれら実施例及び上述した実施形態が組み合わせできないと理解する限り、本開示の範囲内でこのような実施例及び実施形態は組み合わせ可能であると考えられる。
【０１４０】
実施例１：難視構成検出器は、直線的に配置されてセンサアレイを形成する３つ以上のセンサ板を含み得る。各センサ板は、センサ板の１つ以上の周囲の物体に対する接近度と、１つ以上の周囲の物体のそれぞれの材料特性とに基づいて変わる、センサ示度を取得するように構成され得る。それぞれのセンサ板は、対応する電界の第１端部を形成し得る。難視構成検出器は、各センサ板の対応電界の第２端部を形成する共通板も含み得る。共通板は、センサアレイに沿い、３つ以上のセンサ板のそれぞれの一方側に沿って延びる長さを有し得る。共通板の長さを、共通板が沿って延在する、センサアレイの全体長さ寸法よりも短くできる。難視構成検出器は、３つ以上のセンサ板に結合し、３つ以上のセンサ板のセンサ示度を測定するように構成されるセンシング回路も含み得る。難視構成検出器は、不活性状態と活性状態との間をトグルで切り替えて、比較的高いセンサ示度の範囲の位置を示すことができる、インジケータを含み得る。
【０１４１】
実施例２：難視構成検出器は、センサアレイを形成する３つ以上のセンサ板を含み得る。それぞれのセンサ板は、センサ板の１つ以上の周囲の物体に対する接近度と、１つ以上の周囲の物体のそれぞれの材料特性とに基づいて変わる、センサ示度を獲得することができる。３つ以上のセンサ板は、全体的にセンシングフィールドを生成し得る。３つ以上のセンサ板のそれぞれの個々のセンサ板はセンシングフィールド内で対応主要センシングフィールドゾーンを生成することができ、対応主要センシングフィールドゾーンで個々のセンサ板はセンシングフィールドに対して他の任意の３つ以上のセンサ板よりも強く寄与する。３つ以上のセンサ板は幾何学的に類似する主要センシングフィールドゾーンを生成し得る。難視構成検出器は、主要センシングフィールドゾーンを受け、センサアレイの長さに沿って延びる長さを有し、長さがセンサアレイの長さよりも短い、共通板を含み得る。ある実施形態では、共通板は、センサアレイの長さよりも１６ミリメートル未満長い長さを有し得る。難視構成検出器は、３つ以上のセンサ板に結合され、３つ以上のセンサ板のセンサ示度を測定するように構成され得るセンシング回路を含み得る。難視構成検出器は、不活性状態と活性状態との間を切り替えて、比較的高いセンサ示度の範囲の位置を示すインジケータを含み得る。
【０１４２】
実施例３：難視構成検出器は、直線的に配置されてセンサアレイを形成する３つ以上のセンサ板を含み得る。それぞれのセンサ板は、センサ板の１つ以上の周囲の物体に対する接近度と、１つ以上の周囲の物体のそれぞれの材料特性とに基づいて変わる、センサ示度を取得し得る。それぞれのセンサ板は、主要結合領域を提供して対応電界の第１端部を形成し得る。難視構成検出器は、対応主要結合領域を提供してセンサ板に対応し、センサ板の対応電界の第２端部を形成するように構成される、１つ以上の共通板を含み得る。センサアレイの端部センサ板の主要結合領域は、１つ以上の共通板の対応主要結合領域との第１ライン上に存在し、センサアレイの非端部センサ板の主要結合領域は、１つ以上の共通板の対応主要結合領域との第２ライン上に存在し、第１ライン及び第２ラインは平行ではない。難視構成検出器は、３つ以上のセンサ板に結合され、３つ以上のセンサ板のセンサ示度を測定するように構成されるセンシング回路を含み得る。難視構成検出器は、不活性状態と活性状態との間を切り替えて、比較的高いセンサ示度の範囲の位置を示すインジケータを含み得る。
【０１４３】
当業者にとって、本発明の基礎となる原理から逸脱することなく、上述した実施形態の詳細に際して多数の変更を行うことができることが明らかである。したがって本発明の範囲は、以下の特許請求の範囲のみによって定められるべきである。
【図１】
2020505617.tif 000003
【図２】
2020505617.tif 000004
【図３】
2020505617.tif 000005
【図４】
2020505617.tif 000006
【図５】
2020505617.tif 000007
【図６】
2020505617.tif 000008
【図７】
2020505617.tif 000009
【図８】
2020505617.tif 000010
【図９】
2020505617.tif 000011
【図１０】
2020505617.tif 000012
【図１１】
2020505617.tif 000013
【図１２】
2020505617.tif 000014
【図１３】
2020505617.tif 000015
【図１４】
2020505617.tif 000016
【図１５】
2020505617.tif 000017
【図１６】
2020505617.tif 000018
【図１７】
2020505617.tif 000019
【国際調査報告】
2020505617.tif 000020